(57)【要約】【課題】  換気を行うために建屋の外壁に設けられるガラリを屋内からの取り付け工事で容易に施工することができるガラリ取り付け構造に関する。  【解決手段】  外壁Ｇに設けられた開口部Ｗにはめ込まれる枠体４と、その枠体内部を屋内から屋外に向かって拡げるように下方に向かって傾斜する水切り板５と、前記枠体４と水切り板５の間に配置され、羽根３を係止する枠部を備えたガラリ本体１とからなり、前記枠部と水切り板の間に下方に向かって傾斜する排水口１０が形成されたガラリ取り付け構造Ａ。【選択図】  図１
2005232872.tif 000002
【特許請求の範囲】
【請求項１】
屋内と屋外の間で換気を行うためのガラリを外壁に取り付けるためのガラリ取り付け構造であって、
その外壁に設けられた開口部にはめ込まれる枠体と、
その枠体の内部に設けられ、屋内から屋外に向かって下がるように傾斜する水切り板と、
前記枠体内で水切り板の上に配置され、羽根を係止する枠部を備えたガラリ本体とからなり、
前記枠部と水切り板の間に下方に向かって傾斜する排水口が形成されるガラリ取り付け構造。
【請求項２】
前記水切り板が開口部の下端から屋外に向けて下方に突出している請求項１記載のガラリ取り付け構造。
【請求項３】
前記枠部に排水口と連通する水抜き穴が設けられた請求項１または２記載のガラリ取り付け構造。
【発明の詳細な説明】
【技術分野】
【０００１】
本発明は換気を行うためのガラリを建屋の外壁に取り付けるためのガラリの取り付け構造に関する。さらに詳しくは、屋内からの取り付け工事のみで容易に施工することができるガラリ取り付け構造に関する。
【背景技術】
【０００２】
建屋の外部と屋内の間で換気を行うのに、小風量の場合には、外壁に丸開口を施して丸ダクトと接続するベントキャップが用いられる。また、ある程度風量が大きくなると、角ダクトと接続するガラリが用いられる。それらベントキャップおよびガラリの取り付け工法として以下の公知文献と特許文献がある。
【０００３】
【非特許文献１】ｐ３８６〜３８７  泉忠之、今村量昭  彰国社刊  「図解配管・ダクト施工」
【特許文献１】特開平９-２２１９０４
【特許文献２】特開２０００−１７９６２
【０００４】
非特許文献１には、外壁に取り付ける給排気用のガラリの取り付け構造が開示されている。この非特許文献１によると、外壁に設けられた開口部の内部に、ガラリの本体をアンカで固定して、その後、外壁の内周面とガラリの外枠との間を室内および外壁側からモルタルで左官充填している。
【０００５】
また、特許文献１の図２には、壁の内側から施工することができる換気口の取り付け構造が開示されている。図５に示す換気口の取り付け構造１００は、ベントキャップ１０１と、そのベントキャップ１０１の外周面から外側に向かって延びるツバ１０２とからなる。一方、ベントキャップ１０１が取り付けられる外壁１０３には、その外壁１０３に設けられた開口部１０４と、その開口部１０４と対応するように壁１０３の内面側に固定器具台座１０５が施工されている。この換気口の取り付け構造１００は、まずベントキャップ１０１を壁１０３の室内側から開口部１０４に差し込む。次いで、前記ツバ１０２が外壁の内面とぶつかる接触面にドーナツ状のガスケット１０６を介在させてシールする。そして、そのままツバ１０２をガスケット１０６に押さえつけた状態で、ツバ１０２を貫通させた固定具等１０７により、壁１０３の固定器具台座１０５に固定する。
【０００６】
特許文献２に開示されているガラリ本体１１０は、ガラリ羽根１１１と、そのガラリ羽根１１１を支持し、かつ、建物躯体１１２に設けられた開口部１１３内部に固定する取付枠（方立）１１４とからなる。前記方立１１４は、コ字状の断面形状で縦長の部材である。その方立１１４の上下端には、ガラリ本体１１０を開口部１１３に固定するための直角に折り曲げられた板状の取り付け金具１１５が配置されている。前記開口部１１３の内周面には、前記取り付け金具１１５と対応する位置に、アンカ１１６が打ち込まれている。そして、前記ガラリ本体１１０は、取り付け金具１１５を介して開口部１１３に設けられたアンカ１１６にボルト１１７を締めこむことにより取り付けられる。また、前記ガラリ羽根１１１と開口部１１３との隙間部分には、ガラリ羽根１１１に取り付けたガスケット１１８が配置され、雨水の浸入を防止している。さらに、開口部１１３の下端部分は建物躯体１１２自体を下方に向かって傾斜させた傾斜面１１９が形成されており、雨水を外部に排出する構造となっている。
【発明の開示】
【発明が解決しようとする課題】
【０００７】
従来の技術においては、ガラリを開口部の内面にアンカボルトにより固定し、そのアンカボルトもろとも外壁の内外部から一気にモルタルなどで埋め固めてしまう工法が用いられている。そのため、ガラリまたは換気口の取り付け時には、外壁面に足場を立ち上げ、外壁側から組み付けし、モルタル充填後、コーキングを施すこととなる。このような施工方法では、高層建物での外部足場での危険作業が必要となり、コストおよび手間もかかる。
【０００８】
また、特許文献１のベントキャップ１０１は室内側から施工することができるものである。しかし、雨封止のための構造は、室内側に設けられたガスケットのみに頼っているため、さらに大開口の角型のダクトとなると、シール面積が増大するのでシール部分を強固に密閉することができない。またベントキャップ１０１と開口部との隙間部分を密閉しようとすると、壁の外側からコーキング材等を充填しなければならない。
【０００９】
特許文献２のガラリでは、雨水の排水のために開口内部の下方を傾斜させるように外壁を斜めにするため、その施工に係る労力が大きい。また、開口部の内周面に多数のアンカを設置して方立を固定するため、容易に組み付けすることができない。
【００１０】
本発明は壁の内外からガラリをシールすることができ、かつ、そのようなシール作業を全て室内側から行うことができるガラリ取り付け構造を提供することを技術課題とする。
【課題を解決するための手段】
【００１１】
本発明のガラリ取り付け構造は（請求項１）、屋内と屋外の間で換気を行うためのガラリを外壁に取り付けるためのガラリ取り付け構造であって、その外壁に設けられた開口部にはめ込まれる枠体と、その枠体の内部に設けられ、屋内から屋外に向かって下がるように傾斜する水切り板と、前記枠体内で水切り板の上に配置され、羽根を係止する枠部を備えたガラリ本体とからなり、前記枠部と水切り板の間に下方に向かって傾斜する排水口が形成されることを特徴とする。
【００１２】
このようなガラリ取り付け構造は、前記水切り板が開口部の下端から屋外に向けて下方に突出しているものが好ましい（請求項２）。また、前記枠部の下部に排水口と連通する水抜き穴が設けられたものが好ましい（請求項３）。
【発明の効果】
【００１３】
本発明のガラリ取り付け構造は（請求項１）、枠体、水切り板およびガラリ本体の３つの部分から構成されている。そのため、まず枠体を開口部に挿入すると、枠体の開口内部は大きく開いて屋外へと通じる。つまり、その開口部を作業スペースとして活用することができる。すなわち、そのスペースのおかげで身体および工具を用いて自由に活動することができるので、枠体と外壁との隙間を屋外側から容易にコーキング材等で充填してシールすることができる。次いで、その取り付けられた枠体の内部に水切り板およびガラリ本体を挿入すると、それらガラリ本体および水切り板を、枠体と屋内側からシールさせることができる。すると、屋内側からの作業のみで、外壁の屋外および屋内の両側よりガラリをシールすることができる。
【００１４】
さらに前記３つの部分を組みあげたときに、枠部と水切り板とで排水用の開口を形成する。そのため、外壁の開口部を別途、斜めに形成するような作業を省くことができる。つまり、改修等で後から外壁の窓をガラリ取り付け用の開口として利用する場合には、容易にガラリを取り付けることができる。
【００１５】
また、前記水切り板が開口部の下端から屋外に向けて下方に突出している場合は（請求項２）、枠体の下側から排出される雨水が再び浸入するのを防止する。さらに、前記枠部の下部に排水口と連通する水抜き穴が設けられた場合は（請求項３）、ガラリ内部に侵入してきた雨水を確実に屋外へと排出することができる。
【発明を実施するための最良の形態】
【００１６】
つぎに図面を参照しながら本発明のガラリ取り付け構造の実施形態を説明する。図１は本発明のガラリ取り付け構造の側面断面図、図２ａはガラリ本体を示す斜面図、図２ｂは枠体を示す斜面図、図２ｃは水きり板を示す斜面図、図３ａは枠体を取り付ける様子を示す概略図、図３ｂは水切り板を取り付ける様子を示す概略図、図３ｃはガラリ本体を取り付ける様子を示す概略図、図４ａは図３ｂのＸ−Ｘ線断面図、図４ｂは図３ｃのＹ−Ｙ線断面図を示す。
【００１７】
まず、図１を用いて本発明のガラリ取り付け構造の一実施形態について説明する。図１のガラリ取り付け構造Ａは、外壁Ｇに設けられた開口部Ｗに配置されるガラリ本体１と、そのガラリ本体１を開口部Ｗ内部に固定するための、ガラリ１の外周と開口部Ｗの内周面との間に介在される枠体４と、その枠体４と前記ガラリ本体１の下部との間に配置され、屋内側から屋外側に向けて傾斜している水切り板５とからなる。なお、このようなガラリ取り付け構造Ａには、ステンレス等の雨水に対する耐腐食性のある鋼材ないしアルミ材を用いるのが好ましい。
【００１８】
次に、図２の斜面図を用いてそれぞれの部分について詳細に説明する。図２ａに示すガラリ本体１は、屋内と屋外の間で空気を換気するための枠状の連通路を形成するダクト短管２と、そのダクト短管２の内周面の屋外側の端部に設けられ、屋外に向けて縁を低くするように傾斜し、平行に上下に複数枚並んで固定される羽根３とからなる。
【００１９】
前記ダクト短管２には、屋内側で、その端部から外側に向けて垂直に折り曲げられた鍔２ａと、開口部Ｗに設置されたときに、枠状の内部で下方に相当する面２ｄから垂直に延びる壁２ｂが設けられている。また、前記下方の面２ｄには、壁２ｂの屋外側に水抜き穴２ｃが形成されている。前記鍔２ａはダクト短管２をさらに屋内側へと導く他のダクトを接続するための部分である。また、前記水抜き穴２ｃは、壁２ｂと共に、羽根３の隙間からダクト短管２内部にまで侵入してきた雨水を壁２ｂで遮断して、さらに水抜き穴２ｃから外部へと排水して、屋内への雨水の侵入を阻止するものである。
【００２０】
前記羽根３はダクト短管２の屋外側の端部付近で上下に平行に複数枚並べて固定される板状の部材であり、空気の流れを整えると共に、ダクト短管２内部への雨水の浸入を防止する。
【００２１】
次に図２ｂに示す枠体４について説明する。枠体４は、外壁Ｇに設けられた開口部Ｗの内周面に沿う枠状の部材である。その枠体４は、枠状を形成する側壁４ａと、その側壁４ａの屋内側の端部から外側に垂直に延びて外壁Ｇの屋内側の面と当接するブラケット４ｂとからなる。そのブラケット４ｂには枠体４を外壁Ｇと固定するための固定穴４ｃが形成されている。
【００２２】
次に図２ｃに示す水切り板５について説明する。水切り板５は、板状部材であって、屋内から屋外側に向かって下向きに傾斜する傾斜面５ａと、その傾斜面５ａを折り曲げて外壁Ｇの屋内側の面と当接するブラケット５ｂとからなる。そのブラケット５ｂには、水切り板５を外壁Ｇに固定するための固定穴５ｃが配置されている。その固定穴５ｃは枠体４を外壁Ｇと係止するための固定穴４ｃとピッチがそろうように設けられているため、両方の部材をまとめて外壁に固定することができる。
【００２３】
次に、図３を用いて枠体４を外壁Ｇに差し込む様子を説明する。まず、図３ａの図中の左側に示す開口部Ｗの周囲に枠体４に設けられた固定穴４ｃとピッチを対応させた位置にホールインアンカ６を器具Ｋにより打ち込む。そうすると、枠体４を締結具Ｂなどで締結するための台座となる。
【００２４】
前記枠体４の枠体分を開口部Ｗに向けてはめ込む前に、その枠体４の先端部の外周に、弾性のあるバックアップ材７を貼付する。そのバックアップ材７は枠体４の先端から所定量だけ屋内側に貼付され、そのまま、開口部Ｗにはめ込まれる。次いで、ブラケット４ｂを外壁Ｇの内側の面に当接させて前記固定穴４ｃより外壁Ｇにボルトまたはネジ等の締結具Ｂにより固定される（図３ｂ参照）。なお、前記バックアップ材７は、弾性のあるゴム状の材質である。
【００２５】
次に、図４ａに図３ｂのＸ−Ｘ断面図を示す。図４ａに示すように枠体４の屋外側の先端部はバックアップ材７の弾性により強固に密着して当接しており、枠体４を開口部Ｗの内周面に係止する。前記バックアップ材７は枠体４の先端から所定量だけ屋内側に向けて奥まって配置されている。そのため、開口部Ｗへの挿入時には、枠体４、バックアップ材７および開口部Ｗの内周面との間に囲まれる隙間部８が形成される。次いで、その隙間部８に屋内側から手を伸ばしてコーキング材９を、枠体４の外周に沿って充填する。
【００２６】
このように枠体４を開口部Ｗに挿入しても、その大きく開口したスペースより屋内側から身体や工具を伸ばして容易に屋外側からコーキング材９を充填してシールすることができる。
【００２７】
次に図３ｂを用いて前記水切り板５を取り付ける様子を説明する。まず、前記斜面部５ａを前記枠体４の下方の面２ｄに屋内側から屋外側に向けて傾斜するように配置する。そして、その斜面部５ａと連続しているブラケット５ｂを外壁Ｇの内面と当接させる。次いで、ブラケット５ｂの固定穴５ｃが枠体の固定穴４ｃと重なるように配置し、共通のボルトなどの締結具Ｂで枠体４と水切り板５を固定する。その後、斜面部５ａと枠体４の内周との隙間に屋内側からコーキング材９を充填してシールする（図３ｃ参照）。
【００２８】
そのとき図４ｂに示すように、水切り板５の傾斜部５ａは開口部Ｗの下端部から屋外側に向けて所定量だけはみ出した状態で配置される。このとき斜面部５ａの端部が開口部Ｗの下端より下方に配置されるようにする（図４ｂ中の符号Ｌ）。そうすると、仮に雨水が枠体４の内部に侵入してきても前記斜面部５ａに沿って屋外へと確実に排水させることができる。また、斜面部５ａを下方の面２ｄ上に設けることによって形成される斜面部５ａと枠体４の内底面の間にできる隙間部５ｄに雨水が浸入するのも防止する。
【００２９】
次に、図３ｃに示すようにガラリ本体１のダクト短管２の上面側および側面側が前記枠体４の内部の上面および側面と接するように差し込む。このとき、ダクト短管２の下面側は前記斜面部５ａの最も上方に位置する屈曲した部分（図３ｃ中のＰ）に当接している。
【００３０】
次いで、図１に示すようにダクト短管２が前記枠体４と水切り板５との間に差し込まれると、ダクト短管２の下面側には斜面部５ａとの間に屋外側に向けて下方に拡がる排水口１０が形成される。その排水口１０とガラリ本体１は前記水抜き穴２ｃにより連通し、かつ、屋内側とは隔てられている。このとき、水抜き穴２ｃを前記屈曲部分Ｐより屋外側に配置する。その後、ダクト短管２と枠体４の鍔２ａの面とで形成させる角部に屋内側からコーキング材９を盛ってシールする。一方、ダクト短管２の下面では、ダクト短管２とブラケット５ｂで形成される角部に屋内側からコーキング材９を盛ってシールする。
【００３１】
そうすると、取り付けられるガラリ本体１は、仮に前記羽根３を越えて雨水がガラリ本体１内部に侵入しても、前記壁２ｂにより行く手を阻まれて、屋内側まで到達できない。さらに、水抜き穴２ｃより排水口１０に流れ込み、斜面部５ａを伝わって、屋外へと誘導される。
【００３２】
図１に示すガラリ取り付け構造Ａは屋内側および屋外側からガラリ本体１をコーキング材等でシールする作業を、全て屋内側から施工することができる。そのため、建物の改修工事において、新たに外壁の屋外側に足場を組まなくともガラリ本体１を容易に取り付けることができ、安全に作業を行うことができる。また、前記３つの部分を組みあげたときに、枠部と水切り板とで排水用の開口を形成する。そのため、外壁の開口部は水平であってもよく、別途、斜めに削るような作業を省くことができる。つまり、改修等で後から外壁の窓をガラリ取り付け用の開口として利用する場合には、容易にガラリを取り付けることができる。さらに、ガラリ本体１、枠体４および水切り板５の３つの部分に分かれているので、いずれかの部分を交換する際にも、全てを取り外さなくともよい。
【図面の簡単な説明】
【００３３】
【図１】本発明のガラリ取り付け構造の側面断面図である。
【図２】図２ａはガラリを示す斜面図、図２ｂは枠体を示す斜面図、図２ｃは水きり板を示す斜面図である。
【図３】図３ａは枠体の取り付け要領を示す概略図、図３ｂは水切り板の取り付け要領を示す概略図、図３ｃはガラリの取り付け要領を示す概略図である。
【図４】図４ａは図３ｂのＸ−Ｘ線断面図、図４ｂは図３ｃのＹ−Ｙ線断面図である。
【図５】従来の技術を示す側面断面図である。
【図６】従来の技術を示す側面断面図である。
【符号の説明】
【００３４】
１  ガラリ
２  ダクト短管
２ａ  鍔
２ｂ  壁
２ｃ  水抜き穴
２ｄ  下方の面
３  羽
４  枠体
４ａ  側壁
４ｂ  フランジ
４ｃ  固定穴
５  水切り板
５ａ  斜面部
５ｂ  ブラケット
５ｃ  固定穴
５ｄ  隙間部
６  固定部
７  バックアップ材
８  隙間
９  コーキング材
１０  排水口
Ａ  ガラリ取り付け構造
Ｂ  締結具
Ｇ  外壁
Ｌ  間隔
Ｐ  屈曲部
Ｗ  開口部
【図１】
2005232872.tif 000003
【図２】
2005232872.tif 000004
【図３】
2005232872.tif 000005
【図４】
2005232872.tif 000006
【図５】
2005232872.tif 000007
【図６】
2005232872.tif 000008